(57)【要約】【課題】本発明はメーキャップアーチスト用のコスメバッグを開示した。【解決手段】外殻を含み、第一モータが起動して第一ネジ軸を連動させて回転させ、第一ネジ軸が噛み合いにより第一引き出しを連動させて回転させ、それと同時に回転ロッドを連動させて同期に移動させ、小ギヤがラックと噛み合った後で回転ロッドと大ギヤとが回転し始め、本発明は上下二つの第一モータと第二モータにより、第一引き出しと第二引き出しの伸縮を制御でき、第一引き出しの中にアイシャドー、アイブロウパウダー等の化粧品を置くことができ、ブラシ引き出しが第一引き出しの伸縮とともに伸縮でき、引き出しチャンバにある口紅が第二引き出しの伸縮とともに上下に移動でき、人が化粧品を取ることに便利を与え、収納しやすく、メーキャップアーチストの仕事に便利を与える。【選択図】図１
2020175089.tif 000002
【特許請求の範囲】
【請求項１】
外殻を含み、前記外殻の中には駆動部品が設置され、前記駆動部品は前記外殻の中に設置されている左方へ開口した第一チャンバと右方へ開口した第二チャンバを含み、前記第一チャンバの中には第一引き出しがスライドできるように装着され、前記第二チャンバの中には第二引き出しがスライドできるように装着され、前記第一チャンバの右側壁の中には前後対称の第一モータが固定的に装着され、前記第一モータの左側の出力軸には第一ネジ軸が連結され、前記第一ネジ軸が前記第一引き出しとネジ山により結合され、前記第二チャンバの左側壁の中には前後対称の第二モータが固定的に装着され、前記第二モータの右側の出力軸には第二ネジ軸が連結され、前記第二ネジ軸が前記第二引き出しとネジ山により結合され、前記第一チャンバの中にはファンデーションとファンデーションブラシを置くことができる第一引き出し部品が設置され、前記第二チャンバの中には口紅と他の化粧品を置くことができる第二引き出し部品が設置され、前記第一引き出し部品は前記第一引き出しの中にスライドできるように装着されている三つのブラシ引き出しを含み、前記第一引き出し及び前記外殻の中には前記ブラシ引き出しを制御して前記第一引き出しの左右移動とともに前後に伸縮させる第一制御部品が設置され、前記第二引き出し部品は前記第二引き出しの中に位置している上方へ開口した引き出しチャンバを含み、前記第二引き出しの中には前記口紅を制御して前記第二引き出しの左右移動とともに上下に移動させる第二制御部品が設置され、前記第一チャンバの前側壁には前方へ開口した伸縮口が設置されていることを特徴とするメーキャップアーチスト用のコスメバッグ。
【請求項２】
前記第一引き出し部品はまた前記第一引き出しの中に位置している上方へ開口したファンデーションチャンバを含み、前記ファンデーションチャンバの中には三つのファンデーションパレットが置かれており、前記ファンデーションパレットの中に複数の異なるファンデーションを置くことができ、前記ブラシ引き出しの中に異なる種類のブラシを置くことができ、前記第一制御部品は前記第一チャンバの後側壁の中に位置している連通溝を含み、前記連通溝の底壁にはラック板が設置され、前記ラック板の頂部端面にはラックが設置され、前記連通溝の後側壁には一つのスライドロッド溝が設置され、前記ブラシ引き出しの中には上方へ開口したブラシチャンバが設置され、前記第一引き出しの中には噛み合いチャンバが設置され、前記噛み合いチャンバの前側壁の中には回転ロッドが回転できるように装着され、前記回転ロッドが前記スライドロッド溝とスライドできるように連結され、前記回転ロッドにおいて前記噛み合いチャンバの中に位置しているところには大ギヤが設置され、前記回転ロッドにおいて前記連通溝の中に位置しているところには小ギヤが設置され、前記小ギヤが前記ラックと噛み合うことができ、前記噛み合いチャンバの後側壁の中には第三ネジ軸が回転できるように装着され、前記第三ネジ軸が前記ブラシ引き出しとネジ山により結合され、前記第三ネジ軸には軸ギヤが設置され、前記大ギヤが前記軸ギヤと噛み合っており、前記第一引き出しが移動する時に前記回転ロッドを連動させて同期移動させ、前記小ギヤがラックと噛み合った後で前記回転ロッドと前記大ギヤとが回転し始め、前記大ギヤが噛み合いにより前記軸ギヤと前記第三ネジ軸とを連動させて回転させ、前記第三ネジ軸がネジ山による結合を通じて前記ブラシ引き出しを連動させて移動させ、前記ブラシ引き出しが前記伸縮口から突き出ることができることを特徴とする請求項１に記載のメーキャップアーチスト用のコスメバッグ。
【請求項３】
前記第二引き出し部品はまた前記第二引き出しの前後壁の間に位置している第一仕切り板を含み、前記第一仕切り板と前記引き出しチャンバの左側壁の間には第二仕切り板が設置され、前記第一仕切り板と前記引き出しチャンバの右側壁との間には第三仕切り板が設置され、前記第二仕切り板が左側の引き出しチャンバを四十個の口紅チャンバに分け、前記口紅チャンバの中に前記口紅又は小さい化粧品を置くことができ、前記第一仕切り板の右側に他の化粧品を置くことができることを特徴とする請求項１に記載のメーキャップアーチスト用のコスメバッグ。
【請求項４】
前記第二制御部品は前記引き出しチャンバの下方に位置しているスライド板チャンバを含み、前記スライド板チャンバと前記引き出しチャンバとの間には前記口紅チャンバと相対した昇降ブロックがスライドできるように装着され、前記第二チャンバの左側壁の中には前後対称の固定ロッドが固定的に装着され、前記スライド板チャンバの中にはスライド板がスライドできるように装着され、前記スライド板の中には前後対称の連動チャンバが設置され、前記固定ロッドが前記連動チャンバの中に入っており、前記固定ロッドの右端には鉄ブロックが設置され、前記連動チャンバの左側壁には強磁石が設置され、前記強磁石と前記鉄ブロックとが互いに吸引し合い、前記固定ロッドが前記第二引き出しとスライドできるように連結され、前記第二引き出しが右へ移動する時に前記スライド板を連動させて同期に移動させ、前記第二仕切り板が前記外殻の外側まで移動した時、前記鉄ブロックが前記強磁石と接触して互いに吸引し合い、前記第二引き出しが移動し続け、前記スライド板が移動しなく、前記スライド板が前記昇降ブロックと接触した後で前記昇降ブロックを上へ押し、前記第二引き出しが左へ移動完了した時、前記強磁石と前記鉄ブロックとの協働により前記スライド板が前記第二引き出しに対して右へ変位し、前記昇降ブロックがだんだん落下することを特徴とする請求項１に記載のメーキャップアーチスト用のコスメバッグ。
【発明の詳細な説明】
【技術分野】
【０００１】
本発明はコスメバッグ分野を取り上げて、具体的にはメーキャップアーチスト用のコスメバッグである。
【背景技術】
【０００２】
メーキャップアーチストの仕事はたくさんの異なる化粧品で他の人に化粧を施すことであり、異なる人が異なる化粧品に向いているので、メーキャップアーチストが携帯する化粧品の種類が非常に多く、化粧品の収納に対する要求が高く、化粧品を便利に収納でき、且つ化粧品をよく保護できる化粧品ケースは必ず人気があり、しかし、現有の化粧品ケースはメーキャップアーチストの仕事に便利を与えることができなく、収納機能も十分に便利でなくて完備していなく、化粧品への保護能力も足りない。
【先行技術文献】
【特許文献】
【０００３】
【特許文献１】中国特許出願公開第１０４４９００４０号明細書
【発明の概要】
【発明が解決しようとする課題】
【０００４】
本発明はメーキャップアーチスト用のコスメバッグを提供し、従来技術における上記欠点を解消することを目的とする。
【課題を解決するための手段】
【０００５】
本発明の実施例のメーキャップアーチスト用のコスメバッグは、外殻を含み、前記外殻の中には駆動部品が設置され、前記駆動部品は前記外殻の中に設置されている左方へ開口した第一チャンバと右方へ開口した第二チャンバを含み、前記第一チャンバの中には第一引き出しがスライドできるように装着され、前記第二チャンバの中には第二引き出しがスライドできるように装着され、前記第一チャンバの右側壁の中には前後対称の第一モータが固定的に装着され、前記第一モータの左側の出力軸には第一ネジ軸が連結され、前記第一ネジ軸が前記第一引き出しとネジ山により結合され、前記第二チャンバの左側壁の中には前後対称の第二モータが固定的に装着され、前記第二モータの右側の出力軸には第二ネジ軸が連結され、前記第二ネジ軸が前記第二引き出しとネジ山により結合され、前記第一チャンバの中にはファンデーションとファンデーションブラシを置くことができる第一引き出し部品が設置され、前記第二チャンバの中には口紅と他の化粧品を置くことができる第二引き出し部品が設置され、前記第一引き出し部品は前記第一引き出しの中にスライドできるように装着されている三つのブラシ引き出しを含み、前記第一引き出し及び前記外殻の中には前記ブラシ引き出しを制御して前記第一引き出しの左右移動とともに前後に伸縮させる第一制御部品が設置され、前記第二引き出し部品は前記第二引き出しの中に位置している上方へ開口した引き出しチャンバを含み、前記第二引き出しの中には前記口紅を制御して前記第二引き出しの左右移動とともに上下に移動させる第二制御部品が設置され、前記第一チャンバの前側壁には前方へ開口した伸縮口が設置されている。
【０００６】
更の技術プランとしては、前記第一引き出し部品はまた前記第一引き出しの中に位置している上方へ開口したファンデーションチャンバを含み、前記ファンデーションチャンバの中には三つのファンデーションパレットが置かれており、前記ファンデーションパレットの中に複数の異なるファンデーションを置くことができ、前記ブラシ引き出しの中に異なる種類のブラシを置くことができ、前記第一制御部品は前記第一チャンバの後側壁の中に位置している連通溝を含み、前記連通溝の底壁にはラック板が設置され、前記ラック板の頂部端面にはラックが設置され、前記連通溝の後側壁には一つのスライドロッド溝が設置され、前記ブラシ引き出しの中には上方へ開口したブラシチャンバが設置され、前記第一引き出しの中には噛み合いチャンバが設置され、前記噛み合いチャンバの前側壁の中には回転ロッドが回転できるように装着され、前記回転ロッドが前記スライドロッド溝とスライドできるように連結され、前記回転ロッドにおいて前記噛み合いチャンバの中に位置しているところには大ギヤが設置され、前記回転ロッドにおいて前記連通溝の中に位置しているところには小ギヤが設置され、前記小ギヤが前記ラックと噛み合うことができ、前記噛み合いチャンバの後側壁の中には第三ネジ軸が回転できるように装着され、前記第三ネジ軸が前記ブラシ引き出しとネジ山により結合され、前記第三ネジ軸には軸ギヤが設置され、前記大ギヤが前記軸ギヤと噛み合っている。
【０００７】
更の技術プランとしては、前記第二引き出し部品はまた前記第二引き出しの前後壁の間に位置している第一仕切り板を含み、前記第一仕切り板と前記引き出しチャンバの左側壁の間には第二仕切り板が設置され、前記第一仕切り板と前記引き出しチャンバの右側壁との間には第三仕切り板が設置され、前記第二仕切り板が左側の引き出しチャンバを四十個の口紅チャンバに分けた。
【０００８】
更の技術プランとしては、前記第二制御部品は前記引き出しチャンバの下方に位置しているスライド板チャンバを含み、前記スライド板チャンバと前記引き出しチャンバとの間には前記口紅チャンバと相対した昇降ブロックがスライドできるように装着され、前記第二チャンバの左側壁の中には前後対称の固定ロッドが固定的に装着され、前記スライド板チャンバの中にはスライド板がスライドできるように装着され、前記スライド板の中には前後対称の連動チャンバが設置され、前記固定ロッドが前記連動チャンバの中に入っており、前記固定ロッドの右端には鉄ブロックが設置され、前記連動チャンバの左側壁には強磁石が設置され、前記強磁石と前記鉄ブロックとが互いに吸引し合い、前記固定ロッドが前記第二引き出しとスライドできるように連結されている。
【発明の効果】
【０００９】
本発明の有益効果は：本発明は上下二つの第一モータと第二モータにより、第一引き出しと第二引き出しの伸縮を制御でき、第一引き出しの中にアイシャドー、アイブロウパウダー等の化粧品を置くことができ、ブラシ引き出しが第一引き出しの伸縮とともに伸縮でき、引き出しチャンバにある口紅が第二引き出しの伸縮とともに上下に移動でき、人が化粧品を取ることに便利を与え、収納しやすく、メーキャップアーチストの仕事に便利を与え、普及する価値がある。
【図面の簡単な説明】
【００１０】
【図１】図１は本発明の全体構成模式図
【図２】図２は本発明の全体断面の構成模式図
【図３】図３は図２の中のＡ−Ａ方向の断面構成模式図
【図４】図４は図２の中のＢ−Ｂ方向の断面構成模式図
【図５】図５は図３の中のＣにおける拡大模式図
【図６】図６は図３の中のＤ−Ｄ方向の断面構成模式図
【発明を実施するための形態】
【００１１】
以下に図１〜６を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜６を参照し、本発明の実施例のメーキャップアーチスト用のコスメバッグは、外殻１０を含み、前記外殻１０の中には駆動部品９０１が設置され、前記駆動部品９０１は前記外殻１０の中に設置されている左方へ開口した第一チャンバ６０と右方へ開口した第二チャンバ６１を含み、前記第一チャンバ６０の中には第一引き出し１３がスライドできるように装着され、前記第二チャンバ６１の中には第二引き出し２５がスライドできるように装着され、前記第一チャンバ６０の右側壁の中には前後対称の第一モータ２３が固定的に装着され、前記第一モータ２３の左側の出力軸には第一ネジ軸１６が連結され、前記第一ネジ軸１６が前記第一引き出し１３とネジ山により結合され、前記第二チャンバ６１の左側壁の中には前後対称の第二モータ２８が固定的に装着され、前記第二モータ２８の右側の出力軸には第二ネジ軸２７が連結され、前記第二ネジ軸２７が前記第二引き出し２５とネジ山により結合され、前記第一チャンバ６０の中にはファンデーションとファンデーションブラシを置くことができる第一引き出し部品８０１が設置され、前記第二チャンバ６１の中には口紅３２と他の化粧品を置くことができる第二引き出し部品８０２が設置され、前記第一引き出し部品８０１は前記第一引き出し１３の中にスライドできるように装着されている三つのブラシ引き出し１２を含み、前記第一引き出し１３及び前記外殻１０の中には前記ブラシ引き出し１２を制御して前記第一引き出し１３の左右移動とともに前後に伸縮させる第一制御部品８０３が設置され、前記第二引き出し部品８０２は前記第二引き出し２５の中に位置している上方へ開口した引き出しチャンバ２６を含み、前記第二引き出し２５の中には前記口紅３２を制御して前記第二引き出し２５の左右移動とともに上下に移動させる第二制御部品８０４が設置され、前記第一チャンバ６０の前側壁には前方へ開口した伸縮口１１が設置されている。
【００１３】
前記第一引き出し部品８０１はまた前記第一引き出し１３の中に位置している上方へ開口したファンデーションチャンバ１４を含み、前記ファンデーションチャンバ１４の中には三つのファンデーションパレット１５が置かれており、前記ファンデーションパレット１５の中に複数の異なるファンデーションを置くことができ、前記ブラシ引き出し１２の中に異なる種類のブラシを置くことができ、前記第一制御部品８０３は前記第一チャンバ６０の後側壁の中に位置している連通溝１７を含み、前記連通溝１７の底壁にはラック板２４が設置され、前記ラック板２４の頂部端面にはラック２０が設置され、前記連通溝１７の後側壁には一つのスライドロッド溝１８が設置され、前記ブラシ引き出し１２の中には上方へ開口したブラシチャンバ３３が設置され、前記第一引き出し１３の中には噛み合いチャンバ４４が設置され、前記噛み合いチャンバ４４の前側壁の中には回転ロッド４３が回転できるように装着され、前記回転ロッド４３が前記スライドロッド溝１８とスライドできるように連結され、前記回転ロッド４３において前記噛み合いチャンバ４４の中に位置しているところには大ギヤ４５が設置され、前記回転ロッド４３において前記連通溝１７の中に位置しているところには小ギヤ４２が設置され、前記小ギヤ４２が前記ラック２０と噛み合うことができ、前記噛み合いチャンバ４４の後側壁の中には第三ネジ軸３４が回転できるように装着され、前記第三ネジ軸３４が前記ブラシ引き出し１２とネジ山により結合され、前記第三ネジ軸３４には軸ギヤ４７が設置され、前記大ギヤ４５が前記軸ギヤ４７と噛み合っており、第一引き出し１３が移動する時に回転ロッド４３を連動させて同期移動させ、小ギヤ４２がラック２０と噛み合った後で回転ロッド４３と大ギヤ４５とが回転し始め、大ギヤ４５が噛み合いにより軸ギヤ４７と第三ネジ軸３４とを連動させて回転させ、第三ネジ軸３４がネジ山による結合を通じてブラシ引き出し１２を連動させて移動させ、ブラシ引き出し１２が伸縮口１１から突き出ることができる。
【００１４】
前記第二引き出し部品８０２はまた前記第二引き出し２５の前後壁の間に位置している第一仕切り板３１を含み、前記第一仕切り板３１と前記引き出しチャンバ２６の左側壁の間には第二仕切り板３０が設置され、前記第一仕切り板３１と前記引き出しチャンバ２６の右側壁との間には第三仕切り板４１が設置され、前記第二仕切り板３０が左側の引き出しチャンバ２６を四十個の口紅チャンバ７０に分け、口紅チャンバ７０の中に口紅３２又は小さい化粧品を置くことができ、第一仕切り板３１の右側に他の化粧品を置くことができる。
【００１５】
前記第二制御部品８０４は前記引き出しチャンバ２６の下方に位置しているスライド板チャンバ３５を含み、前記スライド板チャンバ３５と前記引き出しチャンバ２６との間には前記口紅チャンバ７０と相対した昇降ブロック３７がスライドできるように装着され、前記第二チャンバ６１の左側壁の中には前後対称の固定ロッド３６が固定的に装着され、前記スライド板チャンバ３５の中にはスライド板５０がスライドできるように装着され、前記スライド板５０の中には前後対称の連動チャンバ５１が設置され、前記固定ロッド３６が前記連動チャンバ５１の中に入っており、前記固定ロッド３６の右端には鉄ブロック５２が設置され、前記連動チャンバ５１の左側壁には強磁石４８が設置され、前記強磁石４８と前記鉄ブロック５２とが互いに吸引し合い、前記固定ロッド３６が前記第二引き出し２５とスライドできるように連結され、第二引き出し２５が右へ移動する時にスライド板５０を連動させて同期に移動させ、第二仕切り板３０が外殻１０の外側まで移動した時、鉄ブロック５２が強磁石４８と接触して互いに吸引し合い、第二引き出し２５が移動し続け、スライド板５０が移動しなく、スライド板５０が昇降ブロック３７と接触した後で昇降ブロック３７を上へ押し、第二引き出し２５が左へ移動完了した時、強磁石４８と鉄ブロック５２との協働によりスライド板５０が第二引き出し２５に対して右へ変位し、昇降ブロック３７がだんだん落下する。
【００１６】
使用する時、第一モータ２３が起動して第一ネジ軸１６を連動させて回転させ、第一ネジ軸１６が噛み合いにより第一引き出し１３を連動させて回転させ、それと同時に回転ロッド４３を連動させて同期に移動させ、小ギヤ４２がラック２０と噛み合った後で回転ロッド４３と大ギヤ４５とが回転し始め、大ギヤ４５が噛み合いにより軸ギヤ４７と第三ネジ軸３４とを連動させて回転させ、第三ネジ軸３４がネジ山による結合を通じてブラシ引き出し１２を連動させて移動させ、ブラシ引き出し１２が伸縮口１１から突き出ることができる。
【００１７】
第二モータ２８が起動して第二ネジ軸２７を連動させて回転させ、第二ネジ軸２７が噛み合いにより第二引き出し２５を連動させて右へ移動させ、それと同時にスライド板５０を連動させて同期に移動させ、第二仕切り板３０が外殻１０の外側まで移動した時、鉄ブロック５２が強磁石４８と接触して互いに吸引し合い、第二引き出し２５が移動し続け、スライド板５０が移動しなく、スライド板５０が昇降ブロック３７と接触した後で昇降ブロック３７を上へ押し、昇降ブロック３７が口紅チャンバ７０にある口紅３２及び他の化粧品を上へ押して引き出しチャンバ２６から出し、人が化粧品を取ることに便利を与え、第二引き出し２５が左へ移動完了した時、強磁石４８と鉄ブロック５２の協働によりスライド板５０が第二引き出し２５に対して右へ変位し、昇降ブロック３７がだんだん落下し、スライド板５０がスライド板チャンバ３５の右壁と接触した後で強磁石４８が鉄ブロック５２との接触から分離する。
【００１８】
本発明の有益効果は：本発明は上下二つの第一モータと第二モータにより、第一引き出しと第二引き出しの伸縮を制御でき、第一引き出しの中にアイシャドー、アイブロウパウダー等の化粧品を置くことができ、ブラシ引き出しが第一引き出しの伸縮とともに伸縮でき、引き出しチャンバにある口紅が第二引き出しの伸縮とともに上下に移動でき、人が化粧品を取ることに便利を与え、収納しやすく、メーキャップアーチストの仕事に便利を与え、普及する価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175089.tif 000003
【図２】
2020175089.tif 000004
【図３】
2020175089.tif 000005
【図４】
2020175089.tif 000006
【図５】
2020175089.tif 000007
【図６】
2020175089.tif 000008
【手続補正書】
【提出日】令和2年4月26日(2020.4.26)
【手続補正１】
【補正対象書類名】特許請求の範囲
【補正対象項目名】全文
【補正方法】変更
【補正の内容】
【特許請求の範囲】
【請求項１】
外殻を含み、前記外殻の中には駆動部品が設置され、前記駆動部品は前記外殻の中に設置されている左方へ開口した第一チャンバと右方へ開口した第二チャンバを含み、前記第一チャンバの中には第一引き出しがスライドできるように装着され、前記第二チャンバの中には第二引き出しがスライドできるように装着され、前記第一チャンバの右側壁の中には前後対称に第一モータが固定的に装着され、前記第一モータの左側の出力軸には第一ネジ軸が連結され、前記第一ネジ軸が前記第一引き出しとネジ山により結合され、前記第二チャンバの左側壁には前後対称の第二モータが固定的に装着され、前記第二モータの右側の出力軸には第二ネジ軸が連結され、前記第二ネジ軸が前記第二引き出しとネジ山により結合され、前記第一チャンバの中にはファンデーションとファンデーションブラシを置くことができる第一引き出し部品が設置され、前記第二チャンバの中には口紅と他の化粧品を置くことができる第二引き出し部品が設置され、前記第一引き出し部品は前記第一引き出しの中にスライドできるように装着されている三つのブラシ引き出しを含み、前記第一引き出し及び前記外殻の中には前記ブラシ引き出しを制御して前記第一引き出しの左右移動とともに前後に移動させる第一制御部品が設置され、前記第二引き出し部品は前記第二引き出しの中に位置している上方へ開口した引き出しチャンバを含み、前記第二引き出しの中には前記口紅を制御して前記第二引き出しの左右移動とともに上下に移動させる第二制御部品が設置され、前記第一チャンバの前側壁には前方へ開口した伸縮口が設置されていることを特徴とするメーキャップアーチスト用のコスメバッグ。
【請求項２】
前記第一引き出し部品はまた前記第一引き出しの中に位置している上方へ開口したファンデーションチャンバを含み、前記ファンデーションチャンバの中には三つのファンデーションパレットが置かれており、前記ファンデーションパレットの中に複数の異なるファンデーションを置くことができ、前記ブラシ引き出しの中に異なる種類のブラシを置くことができ、前記第一制御部品は前記第一チャンバの後側壁の中に位置している連通溝を含み、前記連通溝の底壁にはラック板が設置され、前記ラック板の頂部端面にはラックが設置され、前記連通溝の後側壁には一つのスライドロッド溝が設置され、前記ブラシ引き出しの中には上方へ開口したブラシチャンバが設置され、前記第一引き出しの壁体には噛み合いチャンバが設置され、前記噛み合いチャンバの前側壁には回転ロッドが回転できるように装着され、前記回転ロッドが前記スライドロッド溝とスライドできるように連結され、前記回転ロッドにおいて前記噛み合いチャンバの中に位置しているところには大ギヤが設置され、前記回転ロッドにおいて前記連通溝の中に位置しているところには小ギヤが設置され、前記小ギヤが前記ラックと噛み合うことができ、前記噛み合いチャンバの後側壁には第三ネジ軸が回転できるように装着され、前記第三ネジ軸が前記ブラシ引き出しとネジ山により結合され、前記第三ネジ軸には軸ギヤが設置され、前記大ギヤが前記軸ギヤと噛み合っており、前記第一引き出しが移動する時に前記回転ロッドを連動させて同期移動させ、前記小ギヤがラックと噛み合った後で前記回転ロッドと前記大ギヤとが回転し始め、前記大ギヤが噛み合いにより前記軸ギヤと前記第三ネジ軸とを連動させて回転させ、前記第三ネジ軸がネジ山による結合を通じて前記ブラシ引き出しを連動させて移動させ、前記ブラシ引き出しが前記伸縮口から突き出ることができることを特徴とする請求項１に記載のメーキャップアーチスト用のコスメバッグ。
【請求項３】
前記第二引き出し部品はまた前記第二引き出しの前後壁の間に位置している第一仕切り板を含み、前記第一仕切り板と前記引き出しチャンバの左側壁の間には第二仕切り板が設置され、前記第一仕切り板と前記引き出しチャンバの右側壁との間には第三仕切り板が設置され、前記第二仕切り板が左側の引き出しチャンバを四十個の口紅チャンバに分け、前記口紅チャンバの中に前記口紅又は小さい化粧品を置くことができ、前記第一仕切り板の右側に他の化粧品を置くことができることを特徴とする請求項１に記載のメーキャップアーチスト用のコスメバッグ。
【請求項４】
前記第二制御部品は前記引き出しチャンバの下方に位置しているスライド板チャンバを含み、前記スライド板チャンバと前記引き出しチャンバとの間には前記口紅チャンバと相対した昇降ブロックがスライドできるように装着され、前記第二チャンバの左側壁には前後対称に固定ロッドが固定的に装着され、前記スライド板チャンバの中にはスライド板がスライドできるように装着され、前記スライド板の中には前後対称に連動チャンバが設置され、前記固定ロッドが前記連動チャンバの中に入っており、前記固定ロッドの右端には鉄ブロックが設置され、前記連動チャンバの左側壁には強磁石が設置され、前記強磁石と前記鉄ブロックとが互いに吸引し合い、前記固定ロッドが前記第二引き出しとスライドできるように連結され、前記第二引き出しが右へ移動する時に前記スライド板を連動させて同期に移動させ、前記第二仕切り板が前記外殻の外側まで移動した時、前記鉄ブロックが前記強磁石と接触して互いに吸引し合い、前記第二引き出しが移動し続け、前記スライド板が移動しなく、前記スライド板が前記昇降ブロックと接触した後で前記昇降ブロックを上へ押し、前記第二引き出しが左へ復位する時、前記強磁石と前記鉄ブロックとの協働により前記スライド板が前記第二引き出しに対して右へ変位し、前記昇降ブロックがだんだん落下することを特徴とする請求項３に記載のメーキャップアーチスト用のコスメバッグ。
【手続補正２】
【補正対象書類名】明細書
【補正対象項目名】全文
【補正方法】変更
【補正の内容】
【発明の詳細な説明】
【技術分野】
【０００１】
本発明はコスメバッグ分野を取り上げて、具体的にはメーキャップアーチスト用のコスメバッグである。
【背景技術】
【０００２】
メーキャップアーチストの仕事はたくさんの異なる化粧品で他の人に化粧を施すことであり、異なる人が異なる化粧品に向いているので、メーキャップアーチストが携帯する化粧品の種類が非常に多く、化粧品の収納に対する要求が高く、化粧品を便利に収納でき、且つ化粧品をよく保護できる化粧品ケースは必ず人気があり、しかし、現有の化粧品ケースはメーキャップアーチストの仕事に便利を与えることができなく、収納機能も十分に便利でなくて完備していなく、化粧品への保護能力も足りない。
【先行技術文献】
【特許文献】
【０００３】
【特許文献１】中国特許出願公開第１０４４９００４０号明細書
【発明の概要】
【発明が解決しようとする課題】
【０００４】
本発明はメーキャップアーチスト用のコスメバッグを提供し、従来技術における上記欠点を解消することを目的とする。
【課題を解決するための手段】
【０００５】
本発明の実施例のメーキャップアーチスト用のコスメバッグは、外殻を含み、前記外殻の中には駆動部品が設置され、前記駆動部品は前記外殻の中に設置されている左方へ開口した第一チャンバと右方へ開口した第二チャンバを含み、前記第一チャンバの中には第一引き出しがスライドできるように装着され、前記第二チャンバの中には第二引き出しがスライドできるように装着され、前記第一チャンバの右側壁の中には前後対称に第一モータが固定的に装着され、前記第一モータの左側の出力軸には第一ネジ軸が連結され、前記第一ネジ軸が前記第一引き出しとネジ山により結合され、前記第二チャンバの左側壁には前後対称の第二モータが固定的に装着され、前記第二モータの右側の出力軸には第二ネジ軸が連結され、前記第二ネジ軸が前記第二引き出しとネジ山により結合され、前記第一チャンバの中にはファンデーションとファンデーションブラシを置くことができる第一引き出し部品が設置され、前記第二チャンバの中には口紅と他の化粧品を置くことができる第二引き出し部品が設置され、前記第一引き出し部品は前記第一引き出しの中にスライドできるように装着されている三つのブラシ引き出しを含み、前記第一引き出し及び前記外殻の中には前記ブラシ引き出しを制御して前記第一引き出しの左右移動とともに前後に移動させる第一制御部品が設置され、前記第二引き出し部品は前記第二引き出しの中に位置している上方へ開口した引き出しチャンバを含み、前記第二引き出しの中には前記口紅を制御して前記第二引き出しの左右移動とともに上下に移動させる第二制御部品が設置され、前記第一チャンバの前側壁には前方へ開口した伸縮口が設置されている。
【０００６】
更の技術プランとしては、前記第一引き出し部品はまた前記第一引き出しの中に位置している上方へ開口したファンデーションチャンバを含み、前記ファンデーションチャンバの中には三つのファンデーションパレットが置かれており、前記ファンデーションパレットの中に複数の異なるファンデーションを置くことができ、前記ブラシ引き出しの中に異なる種類のブラシを置くことができ、前記第一制御部品は前記第一チャンバの後側壁の中に位置している連通溝を含み、前記連通溝の底壁にはラック板が設置され、前記ラック板の頂部端面にはラックが設置され、前記連通溝の後側壁には一つのスライドロッド溝が設置され、前記ブラシ引き出しの中には上方へ開口したブラシチャンバが設置され、前記第一引き出しの壁体には噛み合いチャンバが設置され、前記噛み合いチャンバの前側壁には回転ロッドが回転できるように装着され、前記回転ロッドが前記スライドロッド溝とスライドできるように連結され、前記回転ロッドにおいて前記噛み合いチャンバの中に位置しているところには大ギヤが設置され、前記回転ロッドにおいて前記連通溝の中に位置しているところには小ギヤが設置され、前記小ギヤが前記ラックと噛み合うことができ、前記噛み合いチャンバの後側壁には第三ネジ軸が回転できるように装着され、前記第三ネジ軸が前記ブラシ引き出しとネジ山により結合され、前記第三ネジ軸には軸ギヤが設置され、前記大ギヤが前記軸ギヤと噛み合っている。
【０００７】
更の技術プランとしては、前記第二引き出し部品はまた前記第二引き出しの前後壁の間に位置している第一仕切り板を含み、前記第一仕切り板と前記引き出しチャンバの左側壁の間には第二仕切り板が設置され、前記第一仕切り板と前記引き出しチャンバの右側壁との間には第三仕切り板が設置され、前記第二仕切り板が左側の引き出しチャンバを四十個の口紅チャンバに分けた。
【０００８】
更の技術プランとしては、前記第二制御部品は前記引き出しチャンバの下方に位置しているスライド板チャンバを含み、前記スライド板チャンバと前記引き出しチャンバとの間には前記口紅チャンバと相対した昇降ブロックがスライドできるように装着され、前記第二チャンバの左側壁には前後対称に固定ロッドが固定的に装着され、前記スライド板チャンバの中にはスライド板がスライドできるように装着され、前記スライド板の中には前後対称に連動チャンバが設置され、前記固定ロッドが前記連動チャンバの中に入っており、前記固定ロッドの右端には鉄ブロックが設置され、前記連動チャンバの左側壁には強磁石が設置され、前記強磁石と前記鉄ブロックとが互いに吸引し合い、前記固定ロッドが前記第二引き出しとスライドできるように連結されている。
【発明の効果】
【０００９】
本発明の有益効果は：本発明は上下二つの第一モータと第二モータにより、第一引き出しと第二引き出しの伸縮を制御でき、第一引き出しの中にアイシャドー、アイブロウパウダー等の化粧品を置くことができ、ブラシ引き出しが第一引き出しの伸縮とともに伸縮でき、引き出しチャンバにある口紅が第二引き出しの伸縮とともに上下に移動でき、人が化粧品を取ることに便利を与え、収納しやすく、メーキャップアーチストの仕事に便利を与え、普及する価値がある。
【図面の簡単な説明】
【００１０】
【図１】図１は本発明の全体構成模式図
【図２】図２は本発明の全体断面の構成模式図
【図３】図３は図２の中のＡ−Ａ方向の断面構成模式図
【図４】図４は図２の中のＢ−Ｂ方向の断面構成模式図
【図５】図５は図３の中のＣにおける拡大模式図
【図６】図６は図３の中のＤ−Ｄ方向の断面構成模式図
【発明を実施するための形態】
【００１１】
以下に図１〜６を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜６を参照し、本発明の実施例のメーキャップアーチスト用のコスメバッグは、外殻１０を含み、前記外殻１０の中には駆動部品９０１が設置され、前記駆動部品９０１は前記外殻１０の中に設置されている左方へ開口した第一チャンバ６０と右方へ開口した第二チャンバ６１を含み、前記第一チャンバ６０の中には第一引き出し１３がスライドできるように装着され、前記第二チャンバ６１の中には第二引き出し２５がスライドできるように装着され、前記第一チャンバ６０の右側壁の中には前後対称に第一モータ２３が固定的に装着され、前記第一モータ２３の左側の出力軸には第一ネジ軸１６が連結され、前記第一ネジ軸１６が前記第一引き出し１３とネジ山により結合され、前記第二チャンバ６１の左側壁には前後対称の第二モータ２８が固定的に装着され、前記第二モータ２８の右側の出力軸には第二ネジ軸２７が連結され、前記第二ネジ軸２７が前記第二引き出し２５とネジ山により結合され、前記第一チャンバ６０の中にはファンデーションとファンデーションブラシを置くことができる第一引き出し部品８０１が設置され、前記第二チャンバ６１の中には口紅３２と他の化粧品を置くことができる第二引き出し部品８０２が設置され、前記第一引き出し部品８０１は前記第一引き出し１３の中にスライドできるように装着されている三つのブラシ引き出し１２を含み、前記第一引き出し１３及び前記外殻１０の中には前記ブラシ引き出し１２を制御して前記第一引き出し１３の左右移動とともに前後に移動させる第一制御部品８０３が設置され、前記第二引き出し部品８０２は前記第二引き出し２５の中に位置している上方へ開口した引き出しチャンバ２６を含み、前記第二引き出し２５の中には前記口紅３２を制御して前記第二引き出し２５の左右移動とともに上下に移動させる第二制御部品８０４が設置され、前記第一チャンバ６０の前側壁には前方へ開口した伸縮口１１が設置されている。
【００１３】
前記第一引き出し部品８０１はまた前記第一引き出し１３の中に位置している上方へ開口したファンデーションチャンバ１４を含み、前記ファンデーションチャンバ１４の中には三つのファンデーションパレット１５が置かれており、前記ファンデーションパレット１５の中に複数の異なるファンデーションを置くことができ、前記ブラシ引き出し１２の中に異なる種類のブラシを置くことができ、前記第一制御部品８０３は前記第一チャンバ６０の後側壁の中に位置している連通溝１７を含み、前記連通溝１７の底壁にはラック板２４が設置され、前記ラック板２４の頂部端面にはラック２０が設置され、前記連通溝１７の後側壁には一つのスライドロッド溝１８が設置され、前記ブラシ引き出し１２の中には上方へ開口したブラシチャンバ３３が設置され、前記第一引き出し１３の壁体には噛み合いチャンバ４４が設置され、前記噛み合いチャンバ４４の前側壁には回転ロッド４３が回転できるように装着され、前記回転ロッド４３が前記スライドロッド溝１８とスライドできるように連結され、前記回転ロッド４３において前記噛み合いチャンバ４４の中に位置しているところには大ギヤ４５が設置され、前記回転ロッド４３において前記連通溝１７の中に位置しているところには小ギヤ４２が設置され、前記小ギヤ４２が前記ラック２０と噛み合うことができ、前記噛み合いチャンバ４４の後側壁には第三ネジ軸３４が回転できるように装着され、前記第三ネジ軸３４が前記ブラシ引き出し１２とネジ山により結合され、前記第三ネジ軸３４には軸ギヤ４７が設置され、前記大ギヤ４５が前記軸ギヤ４７と噛み合っており、第一引き出し１３が移動する時に回転ロッド４３を連動させて同期移動させ、小ギヤ４２がラック２０と噛み合った後で回転ロッド４３と大ギヤ４５とが回転し始め、大ギヤ４５が噛み合いにより軸ギヤ４７と第三ネジ軸３４とを連動させて回転させ、第三ネジ軸３４がネジ山による結合を通じてブラシ引き出し１２を連動させて移動させ、ブラシ引き出し１２が伸縮口１１から突き出ることができる。
【００１４】
前記第二引き出し部品８０２はまた前記第二引き出し２５の前後壁の間に位置している第一仕切り板３１を含み、前記第一仕切り板３１と前記引き出しチャンバ２６の左側壁の間には第二仕切り板３０が設置され、前記第一仕切り板３１と前記引き出しチャンバ２６の右側壁との間には第三仕切り板４１が設置され、前記第二仕切り板３０が左側の引き出しチャンバ２６を四十個の口紅チャンバ７０に分け、口紅チャンバ７０の中に口紅３２又は小さい化粧品を置くことができ、第一仕切り板３１の右側に他の化粧品を置くことができる。
【００１５】
前記第二制御部品８０４は前記引き出しチャンバ２６の下方に位置しているスライド板チャンバ３５を含み、前記スライド板チャンバ３５と前記引き出しチャンバ２６との間には前記口紅チャンバ７０と相対した昇降ブロック３７がスライドできるように装着され、前記第二チャンバ６１の左側壁には前後対称に固定ロッド３６が固定的に装着され、前記スライド板チャンバ３５の中にはスライド板５０がスライドできるように装着され、前記スライド板５０の中には前後対称に連動チャンバ５１が設置され、前記固定ロッド３６が前記連動チャンバ５１の中に入っており、前記固定ロッド３６の右端には鉄ブロック５２が設置され、前記連動チャンバ５１の左側壁には強磁石４８が設置され、前記強磁石４８と前記鉄ブロック５２とが互いに吸引し合い、前記固定ロッド３６が前記第二引き出し２５とスライドできるように連結され、第二引き出し２５が右へ移動する時にスライド板５０を連動させて同期に移動させ、第二仕切り板３０が外殻１０の外側まで移動した時、鉄ブロック５２が強磁石４８と接触して互いに吸引し合い、第二引き出し２５が移動し続け、スライド板５０が移動しなく、スライド板５０が昇降ブロック３７と接触した後で昇降ブロック３７を上へ押し、第二引き出し２５が左へ復位する時、強磁石４８と鉄ブロック５２との協働によりスライド板５０が第二引き出し２５に対して右へ変位し、昇降ブロック３７がだんだん落下する。
【００１６】
使用する時、第一モータ２３が起動して第一ネジ軸１６を連動させて回転させ、第一ネジ軸１６が噛み合いにより第一引き出し１３を連動させて回転させ、それと同時に回転ロッド４３を連動させて同期に移動させ、小ギヤ４２がラック２０と噛み合った後で回転ロッド４３と大ギヤ４５とが回転し始め、大ギヤ４５が噛み合いにより軸ギヤ４７と第三ネジ軸３４とを連動させて回転させ、第三ネジ軸３４がネジ山による結合を通じてブラシ引き出し１２を連動させて移動させ、ブラシ引き出し１２が伸縮口１１から突き出ることができる。
【００１７】
第二モータ２８が起動して第二ネジ軸２７を連動させて回転させ、第二ネジ軸２７が噛み合いにより第二引き出し２５を連動させて右へ移動させ、それと同時にスライド板５０を連動させて同期に移動させ、第二仕切り板３０が外殻１０の外側まで移動した時、鉄ブロック５２が強磁石４８と接触して互いに吸引し合い、第二引き出し２５が移動し続け、スライド板５０が移動しなく、スライド板５０が昇降ブロック３７と接触した後で昇降ブロック３７を上へ押し、昇降ブロック３７が口紅チャンバ７０にある口紅３２及び他の化粧品を上へ押して引き出しチャンバ２６から出し、人が化粧品を取ることに便利を与え、第二引き出し２５が左へ復位する時、強磁石４８と鉄ブロック５２の協働によりスライド板５０が第二引き出し２５に対して右へ変位し、昇降ブロック３７がだんだん落下し、スライド板５０がスライド板チャンバ３５の右壁と接触した後で強磁石４８が鉄ブロック５２との接触から分離する。
【００１８】
本発明の有益効果は：本発明は上下二つの第一モータと第二モータにより、第一引き出しと第二引き出しの伸縮を制御でき、第一引き出しの中にアイシャドー、アイブロウパウダー等の化粧品を置くことができ、ブラシ引き出しが第一引き出しの伸縮とともに伸縮でき、引き出しチャンバにある口紅が第二引き出しの伸縮とともに上下に移動でき、人が化粧品を取ることに便利を与え、収納しやすく、メーキャップアーチストの仕事に便利を与え、普及する価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。